(57)【要約】【課題】回転を規制する部材の取り付け及び取り外しの作業を要することなく、シンブルロッドの回転を規制する。【解決手段】  エレベーター装置１は、ワイヤーロープ３と、ワイヤーロープ３に連結されたシンブルロッド６１を有し、エレベーター装置１には、シンブルロッド回り止め機構１０が設けられている。シンブルロッド回り止め機構１０は、シンブルロッド６１とマシンビーム７を備えている。マシンビーム７は、シンブルロッド６１が貫通する縦孔７１が形成された縦孔部７２と、縦孔７１を貫通したシンブルロッド６１がシンブルロッド６１の軸を中心に回転したときに、シンブルロッド６１における角棒部６１３の周面に接触してシンブルロッド６１が所定の角度を超えて回転することを規制する縦孔部７２の内周面と、を有する。シンブルロッド６１の角棒部６１３は、中心軸線から周面までの距離が周方向の位置に応じて異なるように形成されている。【選択図】図５
2015003800.tif 000002
【特許請求の範囲】
【請求項１】
乗りかご及び釣合錘を懸垂するワイヤーロープと、前記ワイヤーロープに連結されたシンブルロッドを有し、前記シンブルロッドの回転を規制するシンブルロッド回り止め機構が設けられたエレベーター装置において、
前記シンブルロッド回り止め機構は、
前記シンブルロッドと、
前記シンブルロッドが貫通する貫通孔が形成された貫通部と、前記貫通孔を貫通した前記シンブルロッドが該シンブルロッドの軸を中心に回転したときに、前記シンブルロッドの周面に接触して前記シンブルロッドが所定の角度を超えて回転することを規制するロッド回転規制部と、を有する貫通部材と、を備え、
前記シンブルロッドは、前記シンブルロッドの軸から前記シンブルロッドの周面までの距離が周方向の位置に応じて異なるように形成されている
エレベーター装置。
【請求項２】
前記ロッド回転規制部は、前記貫通部の内周面であり、
前記貫通部は、前記貫通孔の中心から前記貫通部の内周面までの距離が周方向の位置に応じて異なるように形成されている
請求項１に記載のエレベーター装置。
【請求項３】
前記シンブルロッドが挿入されるコイルばねと、
前記コイルばねを介して前記シンブルロッドを支持する支持部と、を備え、
前記貫通部材は、前記支持部に対して固定され、前記コイルばねの移動を規制し、
前記ロッド回転規制部は、前記貫通部の内周面であり、
前記貫通部は、前記貫通孔の中心から前記貫通部の内周面までの距離が周方向の位置に応じて異なるように形成されている
請求項１に記載のエレベーター装置。
【請求項４】
前記支持部は、前記貫通部材が挿入されて前記貫通孔と連通し、且つ、前記シンブルロッドが貫通する係合孔を有し、前記貫通部材の移動を規制する係合部を有する
請求項３に記載のエレベーター装置。
【請求項５】
前記ロッド回転規制部は、少なくとも一部が前記貫通孔に対向している
請求項１に記載のエレベーター装置。
【請求項６】
乗りかご及び釣合錘を懸垂するワイヤーロープと、前記ワイヤーロープに連結されたシンブルロッドを有するエレベーター装置に用いられ、前記シンブルロッドの回転を規制するシンブルロッド回り止め機構であって、
前記シンブルロッドと、
前記シンブルロッドが貫通する貫通孔が形成された貫通部と、前記貫通孔を貫通した前記シンブルロッドが該シンブルロッドの軸を中心に回転したときに、前記シンブルロッドの周面に接触して前記シンブルロッドが所定の角度を超えて回転することを規制するロッド回転規制部と、を有する貫通部材と、を備え、
前記シンブルロッドは、前記シンブルロッドの軸から前記シンブルロッドの周面までの距離が周方向の位置に応じて異なるように形成されている
シンブルロッド回り止め機構。
【発明の詳細な説明】
【技術分野】
【０００１】
本発明は、乗りかご及び釣合錘を懸垂するワイヤーロープと、ワイヤーロープに連結されたシンブルロッドを有するエレベーター装置及びこのエレベーター装置に用いられるシンブルロッド回り止め機構に関するものである。
【背景技術】
【０００２】
特許文献１には、ワイヤーロープのテンション調整時にシンブルロッドの回転を防止するシンブルロッドの回り止め治具が記載されている。この回り止め治具は、紐と、この紐の一端に取り付けられた把持金具を備えている。紐が、複数のワイヤーロープのそれぞれの端部に取り付けられたシンブルロッドの横孔に連通し、把持金具が、紐の他端を把持する。これによって、シンブルロッドが一体にしばり付けられ、シンブルロッドの回転が規制される。
【先行技術文献】
【特許文献】
【０００３】
【特許文献１】特開平７−２２４９０９号公報
【発明の概要】
【発明が解決しようとする課題】
【０００４】
しかし、特許文献１に記載されたシンブルロッドの回り止め治具を取り付ける場合、紐をシンブルロッドの横孔に挿通させ、紐の他端を把持金具で把持させなければならないので、手間がかかる。また、この治具を取り外す場合、紐の他端を把持金具から解放し、紐をシンブルロッドの横孔から抜き去らなければならないので、手間がかかる。
【０００５】
本発明は、上記従来技術の問題点に鑑みてなされたもので、シンブルロッドの回転を規制する部材の取り付け及び取り外しの作業を要することなく、シンブルロッドの回転を規制することができるエレベーター装置及びエレベーター装置に用いられるシンブルロッド回り止め機構を提供することをその目的とする。
【課題を解決するための手段】
【０００６】
上記目的を達成するため、本発明のエレベーター装置は、乗りかご及び釣合錘を懸垂するワイヤーロープと、ワイヤーロープに連結されたシンブルロッドを有し、シンブルロッドの回転を規制するシンブルロッド回り止め機構が設けられたエレベーター装置であって、シンブルロッド回り止め機構は、シンブルロッドと、貫通部材と、を備えている。
貫通部材は、シンブルロッドが貫通する貫通孔が形成された貫通部と、貫通孔を貫通したシンブルロッドがシンブルロッドの軸を中心に回転したときに、シンブルロッドの周面に接触してシンブルロッドが所定の角度を超えて回転することを規制するロッド回転規制部と、を有する。また、シンブルロッドは、シンブルロッドの軸からシンブルロッドの周面までの距離が周方向の位置に応じて異なるように形成されている。
【０００７】
また、本発明のシンブルロッド回り止め機構は、乗りかご及び釣合錘を懸垂するワイヤーロープと、ワイヤーロープに連結されたシンブルロッドを有するエレベーター装置に用いられ、シンブルロッドの回転を規制するシンブルロッド回り止め機構であって、シンブルロッドと、貫通部材と、を備えている。貫通部材は、シンブルロッドが貫通する貫通孔が形成された貫通部と、貫通孔を貫通したシンブルロッドがシンブルロッドの軸を中心に回転したときに、シンブルロッドの周面に接触してシンブルロッドが所定の角度を超えて回転することを規制するロッド回転規制部と、を有する。シンブルロッドは、シンブルロッドの軸からシンブルロッドの周面までの距離が周方向の位置に応じて異なるように形成されている。
【０００８】
本発明のエレベーター装置及びシンブルロッド回り止め機構では、シンブルロッドがシンブルロッドの軸を中心に所定の角度回転すると、ロッド回転規制部が、シンブルロッドの周面におけるシンブルロッドの軸からの距離が比較的長い箇所に接触する。これにより、シンブルロッドの所定の角度を超えた回転が規制される。したがって、ワイヤーロープの張力を調整する作業を行う際、作業者はシンブルロッドの回転を規制するための部材、例えば、複数のシンブルロッドを一体にしばり付ける回り止め治具を取り付ける又は取り外す必要がない。このため、作業者の作業負担を軽減することができる。
【発明の効果】
【０００９】
本発明によれば、シンブルロッドの回転を規制する部材の取り付け及び取り外しの作業を要することなく、シンブルロッドの回転を規制することができる。
【図面の簡単な説明】
【００１０】
【図１】本発明の第１の実施形態に係るエレベーター装置の模式図である。
【図２】図１のエレベーター装置の要部断面図である。
【図３】図２のＡ−Ａ線矢視断面図である。
【図４】図２のシンブルロッド部材のばね座を示す斜視図である。
【図５】図１のエレベーター装置及びシンブルロッド回り止め機構の作用を説明するための図である。
【図６】本発明の第２の実施形態に係るエレベーター装置のシンブルロッド回り止め機構を上方から見た要部断面図である。
【図７】図６のシンブルロッド部材のばね座を示す斜視図である。
【図８】図６のエレベーター装置及びシンブルロッド回り止め機構の作用を説明するための図である。
【図９】本発明の第３の実施形態に係るエレベーター装置の要部断面図である。
【図１０】図９のＢ−Ｂ線矢視断面図である。
【発明を実施するための形態】
【００１１】
［第１の実施形態］
以下、本発明の第１の実施形態に係るエレベーター装置１及びシンブルロッド回り止め機構１０について、図１〜図５を参照して説明する。なお、各図において共通の部材には、同一の符号を付している。
【００１２】
＜エレベーター装置１の構成の概要＞
まず、図１を参照して、エレベーター装置１の構成の概要について説明する。
図１は、第１の実施形態に係るエレベーター装置１の模式図である。
【００１３】
図１に示すように、エレベーター装置１は、ワイヤーロープ３、乗りかご４、釣合錘５、シンブルロッド部材６、マシンビーム７、巻上機８及び反らせ車９を備えている。また、エレベーター装置１は、シンブルロッド回り止め機構１０を備えている。なお、エレベーター装置１は、複数のワイヤーロープ３及びシンブルロッド部材６を有しているが、図１では、ワイヤーロープ３及びシンブルロッド部材６を一つずつ示している。
【００１４】
マシンビーム７は、梁状の部材である。マシンビーム７は、建物内に形成された昇降路２の上部を形成する機械室２１内に設けられ、下部が機械室２１の床面に固定されている。
【００１５】
また、機械室２１内には、巻上機８と巻上機８の駆動を制御する制御盤（図示省略）が設けられている。また、巻上機８の近傍には、反らせ車９が設けられている。
【００１６】
シンブルロッド部材６は、マシンビーム７に支持されている。なお、シンブルロッド部材６のその他の構成については、後述する。
【００１７】
乗りかご４は、略直方体状に形成され、下面には、かごガイドプーリ４１が設けられている。
ワイヤーロープ３の一端部は、シンブルロッド部材６に連結され、ワイヤーロープ３の他端部は釣合錘５に連結されている。そして、ワイヤーロープ３は、かごガイドプーリ４１、巻上機８、反らせ車９に巻回されている。
【００１８】
このように構成されているエレベーター装置１において、巻上機８が駆動すると、乗りかご４は、昇降路２内に設置されたガイドレール（図示省略）に沿って昇降路２内を昇降する。
【００１９】
＜シンブルロッド回り止め機構１０の構成＞
次に、図２〜４を参照して、エレベーター装置１のシンブルロッド回り止め機構１０の構成について説明する。
図２は、エレベーター装置１の要部断面図である。図３は、図２のＡ−Ａ線矢視断面図である。図４は、図２のシンブルロッド部材６のばね座６５を示す斜視図である。
本実施形態では、シンブルロッド部材６の後述するシンブルロッド６１とマシンビーム７がシンブルロッド回り止め機構１０を構成する。
【００２０】
図２に示すように、シンブルロッド部材６は、シンブルロッド６１、ワイヤーロープソケット６２、シンブルロッドピン６３、コイルばね６４、ばね座６５、平ワッシャ６６、張力調整ナット６７及びロックナット６８を有している。
【００２１】
ワイヤーロープソケット６２は、略円筒状に形成されて、中心軸線が上下方向に沿って延びるように配置されている。ワイヤーロープソケット６２は、上端部に開口を有する上開口部６２１を有し、また、下端部に開口を有する下開口部６２２を有している。
【００２２】
ワイヤーロープソケット６２の下部には、下開口部６２２の開口を挿通したワイヤーロープ３が係合している。ワイヤーロープソケット６２の上部には、上開口部６２１の開口を挿通したシンブルロッド６１の下端部と嵌合するシンブルロッドピン６３が設けられている。シンブルロッドピン６３がシンブルロッド６１に嵌合することで、ワイヤーロープソケット６２とシンブルロッド６１とが係合している。
【００２３】
シンブルロッド６１は、上下方向に延びる棒状の部材である。シンブルロッド６１は、コイル状に形成されたコイルばね６４に挿入されている。
マシンビーム７には、上下方向に貫通する縦孔７１が形成された縦孔部７２が設けられている。シンブルロッド６１は、この縦孔７１を貫通している。シンブルロッド６１の下端部には、シンブルロッドピン６３が挿通する挿通孔（図示省略）を有する嵌合部６１１が形成されている。シンブルロッド６１の上部は、ねじ部６１２を形成している。ねじ部６１２の周面には、ねじ溝が形成されている。
【００２４】
シンブルロッド６１における嵌合部６１１とねじ部６１２の間には、角棒部６１３が形成されている。角棒部６１３は、略角柱状に形成されている。図３に示すように、角棒部６１３は、軸方向に直交する断面が、略長方形状になるように形成されている。角棒部６１３は、軸方向に直交する断面の半径が所定値である円柱状の部材を用意し、この部材の周面における所定の箇所を切り取って互いに対向する２つの平面部６１４を設けることで、形成されている。したがって、シンブルロッド６１の軸（中心軸線Ｏ）から平面部６１４までの距離は、シンブルロッド６１の軸からシンブルロッド６１の平面部６１４以外の周面（以降、湾曲周面６１５と称する場合がある）までの距離よりも短い。すなわち、シンブルロッド６１の角棒部６１３は、シンブルロッド６１の軸から周面までの距離が周方向の位置に応じて異なるように形成されている。
【００２５】
また、図３に示すように、縦孔７１は、縦孔７１の輪郭が互いに対向する長辺部と、互いに対向する短辺部と、を有する略長方形状になるように形成されている。したがって、縦孔部７２は、縦孔７１の中心から縦孔部７２の内周面までの距離が周方向の位置に応じて異なるように形成されている。
【００２６】
角棒部６１３の軸方向に直交する断面における平面部６１４に直交する方向の長さｄ１は、マシンビーム７の縦孔７１の輪郭における短辺部の長さｄ２よりも短く設定されている。
【００２７】
湾曲周面６１５における直径ｄ３は、マシンビーム７の縦孔７１の輪郭における短辺部の長さｄ２よりも長く設定されている。したがって、縦孔７１を貫通したシンブルロッド６１の平面部６１４は、縦孔７１の輪郭における長辺部に対向し、湾曲周面６１５は、縦孔７１の輪郭における短辺部に対向する。
【００２８】
図４に示すように、ばね座６５は、外径の異なる二段の円筒状に形成されている。また、図２に示すように、ばね座６５は、ばね座６５の中心軸線がシンブルロッド６１の中心軸線と一致するように、すなわちシンブルロッド６１と同軸上に配置されている。ばね座６５の上部には、円筒状の大径部６５１が形成されている。大径部６５１の筒孔には、コイルばね６４の下部が挿入される。大径部６５１の周面は、コイルばね６４の軸方向に交差する方向への移動を係止するばね係止部を形成している。
【００２９】
図４に示すように、ばね座６５の下部には、大径部６５１よりも内径の小さい円筒状の小径部６５２が形成されている。小径部６５２の内径ｄ４は、角棒部６１３における湾曲周面６１５の内径ｄ３（図３参照）よりもやや大きく設定されている。
【００３０】
大径部６５１の下端部と、小径部６５２の上端部は、略円板状の連結部６５３によって連結されている。連結部６５３の中央には、上下方向に貫通する孔が形成されている。連結部６５３の孔は、小径部６５２の筒孔の径と同径になるように形成されている。すなわち、連結部６５３の孔によって、大径部６５１の筒孔と小径部６５２の筒孔とが連通している。
【００３１】
小径部６５２には、周面の一部を切り欠いてなる切欠部６５４が２つ形成されている。２つの切欠部６５４は、小径部６５２の筒孔を挟んで対向するように形成されている。以降の説明において、小径部６５２の周面における切欠部６５４以外の部分（残余部分）、すなわち２つの円弧状の部分を、ばね座挿入部６５５と称する場合がある。２つのばね座挿入部６５５は、小径部６５２の筒孔を挟んで対向するように形成されている。
【００３２】
図２に示すように、ばね座挿入部６５５は、マシンビーム７の縦孔７１に、上方から挿入されている。また、連結部６５３の下面が、マシンビーム７の上面に当接している。縦孔７１に挿入されたばね座挿入部６５５の外周面は、縦孔７１の輪郭における短辺部に対向する。
【００３３】
ばね座６５の回転は、ばね座挿入部６５５の両端部が縦孔部７２の内周面に当接することで規制されている。したがって、マシンビーム７の縦孔部７２は、ばね座６５の回転を規制している。また、縦孔部７２は、ばね座６５がマシンビーム７の上面を移動することを規制している。
【００３４】
図２に示すように、平ワッシャ６６は、中央部に上下方向に貫通する孔を有する円板状の部材である。平ワッシャ６６の下面は、コイルばね６４の上端部と当接している。平ワッシャ６６の孔には、シンブルロッド６１の上部が貫通している。
【００３５】
張力調整ナット６７は、シンブルロッド６１のねじ部６１２に螺合されている。張力調整ナット６７の下端部は、平ワッシャ６６の上面に当接している。作業者は、張力調整ナット６７を回転させてコイルばね６４を弾性変形させることでシンブルロッド部材６に連結しているワイヤーロープ３の張力を調整できる。
【００３６】
ロックナット６８は、張力調整ナット６７の上方で、シンブルロッド６１のねじ部６１２に螺合されている。ロックナット６８の下端部は、張力調整ナット６７の上端部に当接しており、ロックナット６８は、張力調整ナット６７の緩み止めとして機能している。
【００３７】
＜エレベーター装置１及びシンブルロッド回り止め機構１０の作用＞
次に、図５を参照して、第１の実施形態に係るエレベーター装置１及びシンブルロッド回り止め機構１０の作用について説明する。図５は、エレベーター装置１及びシンブルロッド回り止め機構１０の作用を説明するための図である。
【００３８】
図５に示すように、本実施形態のエレベーター装置１及びシンブルロッド回り止め機構１０では、シンブルロッド６１が中心軸線Ｏを中心に所定の角度回転すると、シンブルロッド６１の角棒部６１３の周面が、マシンビーム７の縦孔部７２の内周面に当接する。このため、シンブルロッド６１が所定の角度を越えて回転することを規制することができる。したがって、シンブルロッド６１が所定の角度を超えて回転することによって、張力調整ナット６７及びロックナット６８が緩んで又は締まって、ワイヤーロープ３の張力が変化することを防止することができる。
【００３９】
上記のように、本実施形態では、マシンビーム７が、シンブルロッドが貫通する貫通孔（本実施形態では縦孔７１）が形成された貫通部（本実施形態では縦孔部７２）と、シンブルロッドが所定の角度を超えて回転することを規制するロッド回転規制部（本実施形態では縦孔部７２の内周面）と、を有する貫通部材を構成する。
【００４０】
また、本実施形態のエレベーター装置１及びシンブルロッド回り止め機構１０では、作業者が張力調整ナット６７を回転させてワイヤーロープ３の張力を調整する作業を行う際、シンブルロッド６１の回転を規制するための部材、例えば、複数のシンブルロッド６１を一体にしばり付ける回り止め治具を取り付ける又は取り外す必要がない。このため、作業者の作業負担を軽減することができる。
【００４１】
なお、所定の角度は、小さければ小さいほど好ましいが、３６０度を超えない範囲で任意に設定可能である。例えば、所定の角度は、マシンビーム７の縦孔７１の輪郭における短辺部の長さｄ２（図３参照）を調整することで、任意の角度に設定可能である。また、所定の角度は、シンブルロッド６１の軸方向に直交する断面における平面部６１４に直交する方向の長さｄ１（図３参照）、又は、シンブルロッド６１の湾曲周面６１５における内径ｄ３（図３参照）を調整することで、任意の角度に設定可能である。
【００４２】
また、本実施形態では、マシンビーム７の縦孔７１を、縦孔７１の輪郭が略長方形状になるように形成した。しかし、縦孔７１の輪郭の形状は、縦孔部７２の内周面が所定の角度回転したシンブルロッド６１の角棒部６１３の周面と当接して所定の角度を超えたシンブルロッド６１の回転を係止できる限りにおいて、任意に設定可能である。例えば、縦孔７１の輪郭を、角棒部６１３の一回り大きい略相似形状にしてもよい。
【００４３】
また、同様に、シンブルロッド６１の形状も、上記に限定されない。シンブルロッド６１の形状は、縦孔部７２の内周面と所定の角度回転したシンブルロッド６１の周面（側面）とが当接して所定の角度を超えたシンブルロッド６１の回転が係止される限りにおいて、任意に変更可能である。例えば、シンブルロッド６１の軸方向に直交する断面上の一方向を縦方向とし、同断面上で縦方向に直交する方向を横方向とするとき、シンブルロッド６１の形状を、縦方向の寸法（縦寸法）と横方向の寸法（横寸法）とが異なる楕円状に同断面がなるようにしてもよい。この場合、縦孔部７２は、縦孔７１の輪郭がシンブルロッド６１の同断面の一回り大きな略相似形状となるように、すなわち縦孔７１の輪郭においても縦寸法と横寸法とが異なるように形成されるとよい。
【００４４】
［第２の実施形態］
次に、本発明の第２の実施形態に係るエレベーター装置１００及びシンブルロッド回り止め機構１１０について、図６〜図８を参照して説明する。第２の実施形態は、シンブルロッド部材１０６の後述するシンブルロッド８１及びばね座８５の小径部８５２並びにマシンビーム１０７の縦孔１７１の形状が第１の実施形態とは異なる。なお、第１の実施形態と同一の構成の部材については、同一の符号を付し、また、その説明を適宜省略する。
【００４５】
＜エレベーター装置１００及びシンブルロッド回り止め機構１１０の構成＞
まず、図６及び図７を参照して、第２の実施形態におけるエレベーター装置１００及びシンブルロッド回り止め機構１１０の構成について説明する。図６は、第２の実施形態に係るエレベーター装置１００のシンブルロッド回り止め機構１１０を上方から見た要部断面図である。図７は、図６のシンブルロッド部材１０６のばね座８５を示す斜視図である。本実施形態では、シンブルロッド８１及びばね座８５がシンブルロッド回り止め機構１１０を構成する。
【００４６】
エレベーター装置１００のマシンビーム１０７は、梁状の部材である。マシンビーム１０７は、建物内に形成された昇降路２（図１参照）の上部を形成する機械室２１（図１参照）内に設けられ、下部が機械室２１の床面に固定されている。マシンビーム１０７は、上下方向に貫通する縦孔(係合孔)１７１が形成された縦孔部（係合部）１７２を有している。図６に示すように、縦孔１７１の輪郭は、楕円状に形成されている。
【００４７】
図７に示すように、エレベーター装置１００のシンブルロッド部材１０６におけるばね座８５は、外径の異なる二段の円筒状に形成されている。ばね座８５の上部には、円筒状の大径部８５１が形成されている。大径部８５１の筒孔には、コイルばね８４（図２参照）の下部が挿入される。大径部８５１の周面は、コイルばね８４の軸方向に交差する方向への移動を係止するばね係止部を形成している。
【００４８】
ばね座８５の下部には、小径部８５２が形成されている。図６に示すように、小径部８５２は、軸方向に直交する断面の形状が楕円状になるように形成されている。したがって、小径部８５２は、小径部８５２の筒孔の中心から小径部８５２の内周面までの距離が周方向の位置に応じて異なるように形成されている。また、小径部８５２は、軸方向に直交する断面の形状がマシンビーム１０７における縦孔１７１の輪郭の一回り小さな略相似形状になるように形成されている。
【００４９】
大径部８５１の下端部と、小径部８５２の上端部は、略円板状の連結部８５３によって連結されている。連結部８５３の中央には、上下方向に貫通する孔が形成されている。連結部８５３の孔は、小径部８５２の筒孔の径と同径になるように形成されている。ずなわち、連結部８５３の孔によって、大径部８５１の筒孔と小径部８５２の筒孔とが連通している。
【００５０】
小径部８５２は、縦孔１７１に上方から挿入され、ばね座８５は、縦孔部１７２に係合する。これによって、マシンビーム１０７の縦孔部１７２は、ばね座８５の回転を規制し、また、ばね座８５がマシンビーム１０７の上面を移動することを規制している。
【００５１】
エレベーター装置１００のシンブルロッド部材１０６におけるシンブルロッド８１は、棒状に形成され、上部及び下部は略円柱状に形成されている。シンブルロッド８１は、上部にねじ溝が形成されたねじ部（図示省略）を有している。ねじ部には、張力調整ナット６７及びロックナット６８（図２参照）が螺合している。また、シンブルロッド８１は、下部に嵌合部（図示省略）を有している。嵌合部は、ワイヤーロープソケット６２のシンブルロッドピン６３（図２参照）に嵌合している。
【００５２】
シンブルロッド８１におけるねじ部と嵌合部との間には、第１の実施形態における角棒部６１３（図２参照）に代えて、楕円部８１３が形成されている。楕円部８１３は、図６に示すように、楕円部８１３の軸に直交する断面が楕円状になるように形成されている。したがって、楕円部８１３は、中心（シンブルロッド８１の中心軸線Ｏ）から周面までの距離が周方向の位置に応じて異なるように形成されている。楕円部８１３の短径は、シンブルロッド８１の上部及び下部の直径に略等しい。また、楕円部８１３は、軸に直交する断面の形状が小径部８５２における筒孔の輪郭の一回り小さな略相似形状になるように形成されている。楕円部８１３は、ばね座８５の筒孔を貫通している。
【００５３】
＜エレベーター装置１００及びシンブルロッド回り止め機構１１０の作用＞
次に、図８を参照して、第２の実施形態に係るエレベーター装置１００及びシンブルロッド回り止め機構１１０の作用について説明する。図８は、エレベーター装置１００及びシンブルロッド回り止め機構１１０の作用を説明するための図である。
【００５４】
図８に示すように、シンブルロッド８１が中心軸線Ｏを中心に所定の角度回転すると、シンブルロッド８１における楕円部８１３の周面が、ばね座８５の小径部８５２の内周面に当接する。また、ばね座８５の回転は、マシンビーム１０７の縦孔部１７２が規制している。
【００５５】
このため、シンブルロッド８１が所定の角度を越えて回転することを規制することができる。したがって、シンブルロッド８１が所定の角度を超えて回転することによって、張力調整ナット６７及びロックナット６８（図２参照）が緩んで又は締まって、ワイヤーロープ３の張力が変化することを防止することができる。
【００５６】
上記のように、本実施形態では、ばね座８５が、シンブルロッドが貫通する貫通孔（本実施形態では小径部８５２の筒孔）が形成された貫通部（小径部８５２）と、シンブルロッドが所定の角度を超えて回転することを規制するロッド回転規制部（本実施形態では小径部８５２の内周面）と、を有する貫通部材を構成する。そして、ばね座８５が固定されるマシンビーム１０７が支持部を構成する。
【００５７】
また、本実施形態のエレベーター装置１００及びシンブルロッド回り止め機構１１０では、作業者が張力調整ナット６７を回転させてワイヤーロープ３の張力を調整する作業を行う際、作業者は、シンブルロッド８１の回転を規制するための部材、例えば、複数のシンブルロッド８１を一体にしばり付ける回り止め治具を取り付ける又は取り外す必要がない。このため、作業者の作業負担を軽減することができる。
【００５８】
なお、所定の角度は、３６０度を超えない範囲で任意に設定可能である。例えば、所定の角度は、ばね座８５の小径部８５２における軸方向に直交する断面の形状を変更することで、任意の角度に設定可能である。具体的には、断面の楕円における長径又は短径を変化させて断面の楕円の形状を変更することで所定の角度を任意の角度に設定できる。また、同様に、所定の角度は、シンブルロッド８１の楕円部８１３における軸方向に直交する断面の楕円の形状を変更することで、任意の角度に設定可能である。
【００５９】
なお、本実施形態では、シンブルロッド８１の上部及び下部が略円柱状に形成された態様を説明したが、これに代えて、シンブルロッド８１の下部を、楕円部８１３と同様に、軸方向に直交する断面が楕円状になるように形成してもよい。
【００６０】
［第３の実施形態］
次に、本発明の第３の実施形態に係るエレベーター装置２００及びシンブルロッド回り止め機構２１０について、図９及び図１０を参照して説明する。第３の実施形態は、シンブルロッド部材２０６のばね座９５における小径部９５２の形状並びにマシンビーム２０７の縦孔部２７２の形状が第１の実施形態とは異なる。なお、第１の実施形態と同一の構成の部材については、同一の符号を付し、また、その説明を適宜省略する。
【００６１】
＜エレベーター装置２００及びシンブルロッド回り止め機構２１０の構成＞
まず、図９及び図１０を参照して、第２の実施形態におけるエレベーター装置２００及びシンブルロッド回り止め機構２１０の構成について説明する。図９は、本発明の第３の実施形態に係るエレベーター装置２００の要部断面図である。図１０は、図９のＢ−Ｂ線矢視断面図である。本実施形態では、シンブルロッド６１と後述するマシンビーム２０７がシンブルロッド回り止め機構２１０を構成する。
【００６２】
エレベーター装置２００のマシンビーム２０７は、梁状の部材である。マシンビーム２０７は、建物内に形成された昇降路２の上部を形成する機械室２１（図１参照）内に設けられ、下部が機械室２１の床面に固定されている。マシンビーム２０７は、上下方向に貫通する縦孔２７１が形成された縦孔部２７２を有している。縦孔２７１の輪郭は、略真円状に形成されている。縦孔２７１の直経は、シンブルロッド６１の湾曲周面６１５における内径ｄ３（図１０参照）よりも大きく設定されている。
【００６３】
図９に示すように、マシンビーム２０７の下面には、略矩形板状の２つの狭窄部２７３が設けられている。２つの狭窄部２７３は、縦孔２７１を挟んで、互いに対向するように配置されている。また、各狭窄部２７３における上面の一部は、縦孔２７１と上下方向に対向している。狭窄部２７３のマシンビーム２０７の下面に、溶接、接着剤による接着又はボルト締結によって、固定されている。
【００６４】
図１０に示すように、互いに対向する狭窄部２７３の一端部間の距離ｄ５は、シンブルロッド６１の湾曲周面６１５における内径ｄ３よりも小さく設定されている。
【００６５】
図９に示すように、エレベーター装置２００のシンブルロッド部材２０６におけるばね座９５は、二段の円筒状に形成されている。また、ばね座９５は、ばね座９５の中心軸線がシンブルロッド６１の中心軸線と一致するように、すなわちシンブルロッド６１と同軸上に配置されている。ばね座９５の上部には、円筒状の大径部９５１が形成されている。大径部９５１の筒孔には、コイルばね６４の下部が挿入される。大径部９５１の周面は、コイルばね６４の軸方向に交差する方向への移動を係止するばね係止部を形成している。
【００６６】
また、ばね座９５の下部には、大径部９５１よりも内径の小さい円筒状の小径部９５２が形成されている。小径部９５２は、軸方向に直交する断面が略真円状になるように形成されている。小径部９５２の外経は、縦孔２７１の直経（縦孔部２７２の内径）よりも小さく設定されている。小径部９５２の内径は、シンブルロッド６１の湾曲周面６１５における内径ｄ３よりも大きく設定されている。
【００６７】
大径部９５１の下端部と、小径部９５２の上端部は、略円板状の連結部９５３によって連結されている。連結部９５３の中央には、上下方向に貫通する孔が形成されている。連結部９５３の孔は、小径部９５２の筒孔の径と同径となるように形成されている。連結部９５３の孔によって大径部９５１の筒孔と小径部９５２の筒孔とが連通している。
【００６８】
小径部９５２は、縦孔２７１に上方から挿入され、ばね座９５は、縦孔部２７２に係合する。これによって、マシンビーム２０７の縦孔部２７２は、ばね座９５がマシンビーム２０７の上面を移動することを規制する。なお、ばね座９５は、軸を中心に回転可能である。
【００６９】
＜エレベーター装置２００及びシンブルロッド回り止め機構２１０の作用＞
次に、第３の実施形態に係るエレベーター装置２００及びシンブルロッド回り止め機構２１０の作用について説明する。
シンブルロッド６１が中心軸線Ｏを中心に所定の角度回転すると、シンブルロッド６１における角棒部６１３の周面が、狭窄部２７３に当接する。このため、シンブルロッド６１が所定の角度を越えて回転することを規制することができる。したがって、シンブルロッド６１が所定の角度を超えて回転することによって、張力調整ナット６７及びロックナット６８が緩んで又は締まって、ワイヤーロープ３の張力が変化することを防止することができる。
【００７０】
上記のように、本実施形態では、マシンビーム２０７が、シンブルロッドが貫通する貫通孔（本実施形態では縦孔２７１）が形成された貫通部（縦孔部２７２）と、シンブルロッドが所定の角度を超えて回転することを規制するロッド回転規制部（狭窄部２７３）と、を有する貫通部材を構成する。
【００７１】
また、本実施形態のエレベーター装置２００及びシンブルロッド回り止め機構２１０では、作業者が張力調整ナット６７を回転させてワイヤーロープ３の張力を調整する作業を行う際、シンブルロッド６１の回転を規制するための部材、例えば、複数のシンブルロッド６１を一体にしばり付ける回り止め治具を取り付ける又は取り外す必要がない。このため、作業者の作業負担を軽減することができる。
【００７２】
なお、所定の角度は、３６０度を超えない範囲で任意に設定可能である。例えば、所定の角度は、互いに対向する狭窄部２７３の一端部間の距離ｄ５を調整することで、任意の角度に設定可能である。また、所定の角度は、シンブルロッド６１の軸方向に直交する断面における平面部６１４に直交する方向の長さｄ１の長さ、又は、シンブルロッド６１の湾曲周面６１５における内径ｄ３の長さを調整することで、調整可能である。
【００７３】
以上、本発明のエレベーター装置及びシンブルロッド回り止め機構の実施の形態について、その作用効果も含めて説明した。しかしながら、本発明は、上述の実施の形態に限定されるものではなく、特許請求の範囲に記載した発明の要旨を逸脱しない範囲内で種々の変形実施が可能である。
【００７４】
例えば、第１〜第３の実施形態におけるシンブルロッド回り止め機構１０，１１０，２１０を乗りかごや釣合錘に設けてもよい。この場合、シンブルロッド部材６，１０６，２０６及びマシンビーム７，１０７，２０７を、乗りかごや釣合錘に設ける。
【００７５】
また、第３の実施形態では、２つの狭窄部２７３をマシンビーム２０７に設けた態様を説明したが、狭窄部２７３を１つのみマシンビーム２０７に設けてもよい。また、狭窄部２７３をばね座６５の大径部６５１の上面に設けてもよい。
【符号の説明】
【００７６】
１，１００，２００…エレベーター装置、  ２…昇降路、  ３…ワイヤーロープ、  ５…釣合錘、  ６，１０６，２０６…シンブルロッド部材、  ７，１０７，２０７…マシンビーム、  ８…巻上機、  ９…反らせ車、  １０，１１０，２１０…シンブルロッド回り止め機構、  ２１…機械室、  ６１，８１，９５…シンブルロッド、  ６２…ワイヤーロープソケット、  ６３…シンブルロッドピン、  ６５，８５…ばね座、  ６６…平ワッシャ、  ６７…張力調整ナット、  ６８…ロックナット、  ７１，１７１，２７１…縦孔、  ７２，１７２，２７２…縦孔部、  ２７３…狭窄部、  ６１１…嵌合部、  ６１２…ねじ部、  ６１３…角棒部、  ６１４…平面部、  ６１５…湾曲周面、  ６５１，８５１，９５１…大径部、  ６５２，８５２，９５２…小径部、  ６５３，８５３，９５３…連結部、  ６５４…切欠部、  ６５５…座挿入部、  ８１３…楕円部
【図１】
2015003800.tif 000003
【図２】
2015003800.tif 000004
【図３】
2015003800.tif 000005
【図４】
2015003800.tif 000006
【図５】
2015003800.tif 000007
【図６】
2015003800.tif 000008
【図７】
2015003800.tif 000009
【図８】
2015003800.tif 000010
【図９】
2015003800.tif 000011
【図１０】
2015003800.tif 000012